(57)【要約】【課題】エレメントの脱落を抑制する。【解決手段】無段変速機２は車両に搭載され、プライマリプーリ２１、セカンダリプーリ２２、金属ベルト２３及び変速機コントローラ２０１を含んで構成される。金属ベルト２３は、複数のエレメント２３１とリング２３２とを有する。複数のエレメント２３１は、リング２３２により結束され、金属ベルト２３の径方向に開口する受容部２３１ｒを夫々有し、受容部２３１ｒにリング２３２を受ける。無段変速機２は、複数のエレメント２３１のエンドプレー集中箇所に油を吹く油供給装置ＯＳＤをさらに備える。変速機コントローラ２０１は、車両の運転状態であってエレメント２３１の脱落の可能性が高い運転状態を検知したときは、油供給装置ＯＳＤを制御することにより、当該運転状態を検知していないときよりもエンドプレー集中箇所に吹く油量を多くする油供給制御を実行する。【選択図】図１
2020169671.tif 000002
【特許請求の範囲】
【請求項１】
車両に搭載される無段変速機であって、
プライマリプーリおよびセカンダリプーリと、
前記プライマリプーリおよび前記セカンダリプーリに掛け渡されたベルトであって、
リングと、
前記リングにより結束された複数のエレメントであって当該ベルトの径方向に開口する受容部を夫々有し前記受容部に前記リングを受ける複数のエレメントと、
を有するベルトと、
コントローラと、
を含んで構成され、
前記複数のエレメントのエンドプレー集中箇所に油を吹く油供給装置をさらに備え、
前記コントローラは、前記車両の運転状態であって前記複数のエレメントが有するエレメントの脱落の可能性が高い運転状態である所定の運転状態を検知したときは、前記油供給装置を制御することにより、前記所定の運転状態を検知していないときよりも前記エンドプレー集中箇所に吹く油量を多くする油供給制御を実行する制御部を有する、
ことを特徴とする無段変速機。
【請求項２】
請求項１に記載の無段変速機であって、
前記制御部は、前記所定の運転状態として前記複数のエレメントのエンドプレーが集中する運転状態を検知したときに、前記油供給制御を実行する、
ことを特徴とする無段変速機。
【請求項３】
請求項１に記載の無段変速機であって、
前記制御部は、アクセル開度および車速に基づき、前記所定の運転状態にあることを検知する、
ことを特徴とする無段変速機。
【請求項４】
請求項３に記載の無段変速機であって、
前記制御部は、前記車両が勾配路にあるときに、前記所定の運転状態にあることを検知する、
ことを特徴とする無段変速機。
【請求項５】
請求項１に記載の無段変速機であって、
前記制御部は、前記運転状態として前記エレメントに横方向の力が加わる運転状態を検知したときに、前記油供給制御を実行する、
ことを特徴とする無段変速機。
【請求項６】
車両に搭載され、プライマリプーリおよびセカンダリプーリと、前記プライマリプーリおよび前記セカンダリプーリに掛け渡されたベルトであってリングと、前記リングにより結束された複数のエレメントであって当該ベルトの径方向に開口する受容部を夫々有し前記受容部に前記リングを受ける複数のエレメントとを有するベルトと、を含んで構成される無段変速機の制御方法であって、
前記複数のエレメントのエンドプレー集中箇所に油を吹くことと、
前記車両の運転状態であって前記複数のエレメントが有するエレメントの脱落の可能性が高い運転状態である所定の運転状態を検知したときは、前記所定の運転状態を検知していないときよりも前記エンドプレー集中箇所に吹く油量を多くすること、
を含むことを特徴とする無段変速機の制御方法。
【発明の詳細な説明】
【技術分野】
【０００１】
本発明は、無段変速機及び無段変速機の制御方法に関する。
【背景技術】
【０００２】
一対の可変プーリに対するベルトの接触径を変化させることにより変速比を無段階に調整可能な無段変速機として、動力を伝達する媒体ないしエレメントである複数の横方向部材を、リングまたは環状のバンドにより結束して構成されたベルトを備えるものが知られている。特許文献１には、このような無段変速機に適用されるベルトとして、概略コ字状に形成されたエレメントを備えるものが開示されている。このエレメントは、ベース部分と、ベース部分の両端から同方向に延びる一対のピラー部分と、を有し、１つのリングに対し、ピラー部分の間の開口を通じて装着される。
【先行技術文献】
【特許文献】
【０００３】
【特許文献１】特表２０１７−５１６９６６号公報（段落００２５〜００２７）
【発明の概要】
【発明が解決しようとする課題】
【０００４】
エレメントを介して動力を伝達する無段変速機では、隣り合うエレメントの隙間（「エンドプレー」と呼ばれる）が拡大し、ベルトの全周にわたるエンドプレーの総量が増大する場合がある。このような状態では、エンドプレーが局所的に集中すると、エレメントが孤立状態となり得る。そして、孤立状態となったエレメントに対し、さらに横方向の力が加わると、エレメントがリングから脱落することが懸念される。引用文献１のものでは、エレメントのピラー部分にフックが設けられ、リングに対してこのフックによりエレメントを係止させているが、エレメントに横方向の力がかかり、エレメントがリングに対して横方向に移動することで、フックによる係止が解除されるためである。エンドプレーの拡大は、リングに伸びが生じることによるほか、エレメントが他のエレメントにより圧迫されたり、エレメント同士が擦れて摩耗したりすることにより発生する。
【０００５】
本発明はこのような課題に鑑みてなされたもので、エレメントの脱落を抑制することを目的とする。
【課題を解決するための手段】
【０００６】
本発明のある態様の無段変速機は、車両に搭載される無段変速機であって、プライマリプーリおよびセカンダリプーリと、前記プライマリプーリおよび前記セカンダリプーリに掛け渡されたベルトであって、リングと、前記リングにより結束された複数のエレメントであって当該ベルトの径方向に開口する受容部を夫々有し前記受容部に前記リングを受ける複数のエレメントと、を有するベルトと、コントローラと、を含んで構成される。当該無段変速機は、前記複数のエレメントのエンドプレー集中箇所に油を吹く油供給装置をさらに備える。前記コントローラは、前記車両の運転状態であって前記複数のエレメントが有するエレメントの脱落の可能性が高い運転状態である所定の運転状態を検知したときは、前記油供給装置を制御することにより、前記所定の運転状態を検知していないときよりも前記エンドプレー集中箇所に吹く油量を多くする油供給制御を実行する制御部を有する。
【０００７】
本発明の別の態様によれば、上記態様の無段変速機に対応する無段変速機の制御方法が提供される。
【発明の効果】
【０００８】
これらの態様によれば、エレメントの脱落の可能性が高い運転状態であっても、エンドプレー集中箇所に吹く油量を多くすることにより、予防的な態様で脱落に抗してエレメントを支持したり、エレメントの横方向への位置ずれを抑制したりすることができる。このためこれらの態様によれば、エレメントの脱落を抑制できる。
【図面の簡単な説明】
【０００９】
【図１】図１は、本発明の一実施形態に係る無段変速機を備える車両の動力伝達系の構成を示す概略図である。
【図２】図２は、同上無段変速機の構成を示す概略図である。
【図３】図３は、同上無段変速機に備わるベルトの構成を示す断面図である。
【図４】図４は、同上ベルトの組立方法（エレメントの装着手順）を示す説明図である。
【図５】図５は、エンドプレーが集中した状態を模式的に示す説明図である。
【図６】図６は、油供給装置をエレメントとともに示す図である。
【図７】図７は、本発明の一実施形態に係る制御の一例をフローチャートで示す図である。
【発明を実施するための形態】
【００１０】
以下、添付図面を参照しながら本発明の実施形態について説明する。
【００１１】
（車両駆動系の構成）
図１は、本発明の一実施形態に係る無段変速機２を備える車両の動力伝達系（以下「駆動系」という）Ｐ１の全体構成を概略的に示している。
【００１２】
本実施形態に係る駆動系Ｐ１は、車両の駆動源として内燃エンジン（以下、単に「エンジン」という）１を備え、エンジン１と左右の駆動輪５、５とをつなぐ動力伝達経路上に無段変速機２を備える。エンジン１と無段変速機２とは、トルクコンバータを介して接続することが可能である。無段変速機２は、エンジン１から入力した回転動力を所定の変速比で変換し、ディファレンシャルギア３を介して駆動輪５に出力する。
【００１３】
無段変速機２は、変速要素として入力側にプライマリプーリ２１を備えるとともに、出力側にセカンダリプーリ２２を備える。無段変速機２は、プライマリプーリ２１およびセカンダリプーリ２２に掛け渡された金属ベルト２３を備え、これらのプーリ２１、２２における金属ベルト２３の接触部半径の比を変化させることで、変速比を無段階に変更することが可能である。
【００１４】
プライマリプーリ２１およびセカンダリプーリ２２は、固定シーブ２１１、２２１と、固定シーブ２１１、２２１に対して同軸に、固定シーブ２１１、２２１の回転中心軸Ｃｐ、Ｃｓに沿って軸方向に移動可能に設けられた可動シーブ２１２、２２２と、を備える。無段変速機２の入力軸に対してプライマリプーリ２１の固定シーブ２１１が接続され、出力軸に対してセカンダリプーリ２２の固定シーブ２２１が接続されている。無段変速機２の変速比は、プライマリプーリ２１およびセカンダリプーリ２２の可動シーブ２１２、２２２に作用する作動油の圧力を調整し、固定シーブ２１１、２２１と可動シーブ２１２、２２２との間に形成されるＶ溝の幅を変化させることで制御される。
【００１５】
本実施形態では、無段変速機２の作動圧の発生源として、エンジン１または図示しない電動モータを動力源とするオイルポンプ６を備える。オイルポンプ６は、変速機オイルパンに貯蔵されている作動油を昇圧させ、これを元圧として、所定の圧力の作動油を、油圧制御回路７を介して可動シーブ２１２、２２２の油圧室に供給する。図１は、油圧制御回路７から油圧室への油圧供給経路を、矢印付きの点線により示している。
【００１６】
無段変速機２から出力された回転動力は、所定の減速比に設定された最終ギア列または副変速機（いずれも図示せず）およびディファレンシャルギア３を介して駆動軸４に伝達され、駆動輪５を回転させる。
【００１７】
（制御システムの構成および基本動作）
エンジン１および無段変速機２の動作は、エンジンコントローラ１０１、変速機コントローラ２０１により夫々制御される。エンジンコントローラ１０１および変速機コントローラ２０１は、いずれも電子制御ユニットとして構成され、中央演算装置（ＣＰＵ）、ＲＡＭおよびＲＯＭ等の各種記憶装置、入出力インターフェース等を備えたマイクロコンピュータからなる。
【００１８】
エンジンコントローラ１０１には、エンジン１の運転状態を検出する運転状態センサの検出信号が入力される。エンジンコントローラ１０１は、運転状態をもとに所定の演算を実行し、エンジン１の燃料噴射量、燃料噴射時期および点火時期等を設定する。運転状態センサとして、運転者によるアクセルペダルの操作量（以下「アクセル開度」という）を検出するアクセルセンサ１１１、エンジン１の回転速度を検出する回転速度センサ１１２、エンジン冷却水の温度を検出する冷却水温度センサ１１３等が設けられるほか、図示しないエアフローメータ、スロットルセンサ、燃料圧力センサおよび空燃比センサ等が設けられている。
【００１９】
変速機コントローラ２０１は、エンジンコントローラ１０１に対し、ＣＡＮ規格のバスを介して互いに通信可能に接続されている。変速機コントローラ２０１には、無段変速機２の制御に関連して、車両の走行速度を検出する車速センサ２４１、無段変速機２の入力軸の回転速度を検出する入力側回転速度センサ２４２、無段変速機２の出力軸の回転速度を検出する出力側回転速度センサ２４３、無段変速機２の作動油の温度を検出する油温センサ２４４、シフトレバーの位置を検出するシフト位置センサ２４５等からの信号が入力される。
【００２０】
本実施形態では、以上に加え、加速度センサ２４６、操舵角センサ２４７、サスペンションストロークセンサ２４８、カメラセンサ２４９、カーナビゲーション装置２５０、ブレーキセンサ２５１、勾配センサ２５２等からの信号、情報が、変速機コントローラ２０１に入力される。変速機コントローラ２０１には、エンジンコントローラ１０１から、アクセル開度等、エンジン１の運転状態に関する情報も入力される。変速機コントローラ２０１に入力される信号、情報は例えば、車両の制御を統合する統合コントローラなど、他のコントローラを介して入力されてもよい。
【００２１】
加速度センサ２４６は、車体に対して横方向（つまり、水平であり、車両の直進方向に垂直な方向）に作用する加速度（以下「横方向加速度ＡＣＣｌ」ともいう）を検出する。本実施形態では、金属ベルト２３の延伸方向、換言すれば、プライマリプーリ２１またはセカンダリプーリ２２の回転中心軸Ｃｐ、Ｃｓに垂直な水平方向が車両の直進方向と一致し、金属ベルト２３の周方向および径方向に垂直な方向が車両の横方向に一致する。よって、加速度センサ２４６により検出される横方向加速度は、金属ベルト２３またはその動力伝達媒体であるエレメントに対して横方向に作用する加速度ないし力（つまり、慣性力）の大きさを示す。当該エレメントは後述するエレメント２３１であり、当該横方向は後述する横方向Ｌである。
【００２２】
操舵角センサ２４７は、車両の操舵角（以下「操舵角Ａｓｔｒ」ともいう）を検出する。本実施形態では、ステアリングホイールの基準角位置に対する回転角（つまり、ステアリングホイールの切れ角）が、操舵角として検出される。
【００２３】
サスペンションストロークセンサ２４８は、車両の姿勢を検出する手段として設けられ、本実施形態では、前輪または後輪の左右両側のサスペンション装置に取り付けられた一対のストロークセンサにより構成される。本実施形態では、左右一対のストロークセンサからなるサスペンションストロークセンサ２４８の検出信号をもとに、車両に生じている横方向の揺れ（以下「横揺れ」という場合がある）を判定するが、サスペンションストロークセンサ２４８として、前輪および後輪双方の左右サスペンション装置にストロークセンサが夫々取り付けられてもよく、これにより、横揺れの判定に対する前後方向の揺れないし傾きの影響を排除することが可能となる。
【００２４】
サスペンションストロークセンサ２４８は、ショックアブソーバに備わるピストンロッドの変位を検出する変位センサにより具現可能であり、サスペンションアームの角度を検出する角度センサによっても可能である。
【００２５】
カメラセンサ２４９は、車両が現在走行中の道路または路面の状態を検出する手段として設けられている。カメラセンサ２４９により撮影された画像または映像を解析することで、道路または路面の状態として、路面の凹凸の有無およびその大きさを判断することが可能である。
【００２６】
カーナビゲーション装置２５０は、道路地図情報を有するとともに、ＧＰＳセンサを内蔵し、ＧＰＳセンサにより取得される車両の現在位置（例えば、緯度および経度により表示される絶対位置）を道路地図情報と照合することで、車両の道路地図上での位置を検出する。本実施形態において、カーナビゲーション装置２５０は、道路または路面の状態を検出する他の手段として、カメラセンサ２４９に代替するかまたはこれを補完する。
【００２７】
ブレーキセンサ２５１は、ブレーキペダルの踏力を検出する。勾配センサ２５２は、道路勾配を検出する。道路勾配は、車両位置における道路の勾配であり、車両駆動方向に上り勾配となる場合に正とされ、車両駆動方向に下り勾配となる場合に負とされる。例えば、車両が登坂路にいる場合には、道路勾配は、前進（Ｄ）レンジで車両駆動方向に上り勾配となるため正とされ、後進（Ｒ）レンジで車両駆動方向に下り勾配となるため負とされる。
【００２８】
変速機コントローラ２０１は、変速に関する基本的な制御として、シフト位置センサ２４５からの信号に基づき運転者により選択されたシフトレンジを判定するとともに、アクセル開度および車両の走行速度等に基づき、無段変速機２の目標変速比を設定する。そして、変速機コントローラ２０１は、オイルポンプ６が生じさせる油圧を元圧として、プライマリプーリ２１およびセカンダリプーリ２２の可動シーブ２１２、２２２に対して目標変速比に応じた所定の油圧が作用するように、油圧制御回路７に制御信号を出力する。
【００２９】
（無段変速機の構成）
図２は、本実施形態に係る無段変速機２の構成を、図１に示すｘ−ｘ線断面により示している。
【００３０】
本実施形態において、無段変速機２は、一対の可変プーリ、具体的には、プライマリプーリ２１およびセカンダリプーリ２２と、これら一対のプーリ２１、２２に掛け渡された金属ベルト２３と、を備える。図２は、断面で示す都合上、プライマリプーリ２１の可動シーブ２１２と、セカンダリプーリ２２の固定シーブ２２１と、金属ベルト２３と、を示している。無段変速機２は、プッシュベルト式であり、金属ベルト２３は、動力伝達媒体である複数のエレメント２３１をその板厚方向に並べ、リング２３２（「フープ」または「バンド」と呼ばれる場合もある）により互いに結束することで構成される。
【００３１】
図３は、本実施形態に係るエレメント２３１の構成を、金属ベルト２３の周方向に垂直な断面により示している。
【００３２】
本実施形態において、金属ベルト２３のリング２３２は、複数のリング部材２３２ａ〜２３２ｄを互いに積層して構成された１つのリングであり、この１つのリング２３２に複数のエレメント２３１が装着されて、金属ベルト２３が構成される。リング２３２が１つであることから、本実施形態に係る金属ベルト２３は、モノリング式の金属ベルトまたは単に「モノベルト」と呼ばれる場合がある。図３は、リング部材が４つ（２３２ａ〜２３２ｄ）の場合を示すが、リング部材の数がこれに限定されるものでないことはいうまでもない。
【００３３】
エレメント２３１は、概して、基部２３１ａと、基部２３１ａの延伸方向に垂直に、互いに同方向に延びる一対の側部２３１ｂ、２３１ｂと、から構成され、本実施形態では、全体として、概略コ字状をなしている。基部２３１ａは、サドル部分とも呼ばれ、リング２３２を横断するだけの長さを有し、その両端に、プライマリプーリ２１およびセカンダリプーリ２２の各シーブ２１１、２１２、２２１、２２２に対する接触面が形成されている。基部２３１ａの延伸方向は、エレメント２３１の幅方向であり、金属ベルト２３の横方向Ｌに一致する。側部２３１ｂは、ピラー部分とも呼ばれ、リング２３２を挟む各側で基部２３１ａに接続し、その延伸方向は、エレメント２３１の高さ方向であり、金属ベルト２３の径方向Ｒに一致する。これら一対の側部２３１ｂ、２３１ｂの互いに向き合う内面と基部２３１ａの上面とにより、横方向Ｌに垂直な方向、つまり、金属ベルト２３の径方向Ｒに開口するエレメント２３１の受容部２３１ｒが形成される。本実施形態において、受容部２３１ｒが開口する方向は、金属ベルト２３の径方向Ｒに関して外向きである。エレメント２３１は、受容部２３１ｒにリング２３２を受ける状態で、金属ベルト２３の内周側からリング２３２に装着される。
【００３４】
エレメント２３１は、受容部２３１ｒを形成する左右夫々の側部２３１ｂに、その内面から内向きに突出するフックないし挟持片ｆを有し、リング２３２に装着された状態で、基部２３１ａとこれらのフックｆとの間にリング２３２が保持される。エレメント２３１は、左右両方の側部２３１ｂ、２３１ｂに、受容部２３１ｒの空間を部分的に、横方向Ｌに拡張させる、一対の切欠きｎを有する。切欠きｎは、フックｆに可撓性を持たせ、リング２３２を抑えつける力を付与するとともに、エレメント２３１の装着時にリング２３２の逃げとなる空間を形成するものである。
【００３５】
図４（ａ）〜４（ｃ）は、金属ベルト２３の組立方法、具体的には、エレメント２３１のリング２３２に対する装着手順を時系列に示している。図４は、図示の便宜上、リング２３２の姿勢を変えて手順を示すが、実際の装着時では、エレメント２３１の向きが変えられることはいうまでもない。
【００３６】
初めに、エレメント２３１をリング２３２に対して傾けた状態として、リング２３２の内周側に配置し、エレメント２３１の受容部２３１ｒに、リング２３２の一方の側縁を挿入する。そして、エレメント２３１を、基部２３１ａをリング２３２に近付けるように移動させ、図４（ａ）に示すように、基部２３１ａと一方の側部２３１ｂに備わるフック（同図に示す状態では、左側の側部２３１ｂに備わるフック）ｆとの間を通じて、リング２３２の側縁を切欠きｎに到達させる。
【００３７】
次いで、図４（ｂ）に示すように、エレメント２３１を、基部２３１ａとフックｆとの間に位置するリング２３２の部分を中心として回転させ（同図に示す状態では、時計回りとは反対に回転させ）、エレメント２３１のリング２３２に対する傾斜を解消させる。この状態で、エレメント２３１は、基部２３１ａがリング２３２に平行となる。
【００３８】
エレメント２３１の基部２３１ａをリング２３２に平行な状態とした後、図４（ｃ）に示すように、エレメント２３１を、リング２３２に対し、リング２３２の側縁を切欠きｎから出す方向に相対的に移動させ（同図に示す状態では、エレメント２３１を左側に移動させ）、リング２３２を基部２３１ａの中心に配置させる。これにより、１つのエレメント２３１の装着が完了する。
【００３９】
このような手順を金属ベルト２３の全周にわたる全てのエレメント２３１に対して繰り返すことで、金属ベルト２３が完成する。リング２３２の張力により、さらに、エレメント２３１の前面に設けられた凸部ｐ（図３）と隣り合うエレメント２３１の背面に設けられた凹部との係合により、前後のエレメント２３１が互いに結束される。
【００４０】
ここで、エレメント２３１を動力伝達媒体とする無段変速機２では、隣り合うエレメント２３１の隙間であるエンドプレーＥＰが拡大し、金属ベルト２３の全周にわたるエンドプレーＥＰの総量が増大する場合がある。具体的には、エレメント２３１を束ねるリング２３２に弾性的または塑性的な変形による伸びが生じた場合や、エレメント２３１が他のエレメント２３１により圧迫されて押し潰されたり、エレメント２３１同士が擦れて摩耗したりする場合である。
【００４１】
このような状態でエンドプレーＥＰが局所的に集中すると、エレメント２３１が孤立状態となり得る。そして、孤立状態となったエレメント２３１に対し、金属ベルト２３の周方向および径方向Ｒに垂直な方向（つまり、横方向Ｌ）の力が加わると、エレメント２３１がリング２３２に対して横方向Ｌに移動する。よって、図４を参照して先に説明した手順とは逆の手順により、エレメント２３１がリング２３２から脱落する懸念がある。
【００４２】
このように、エレメント２３１の脱落は、エンドプレーＥＰの総量が増大すること、エンドプレーＥＰが集中すること、エレメント２３１が横方向Ｌに移動すること、の３つの条件が成立すると発生し得る。
【００４３】
このため、これら３つの条件のうち少なくとも１つの条件が満たされた場合は、３つの条件すべてが満たされずエレメント２３１の脱落の可能性がない場合よりも、エレメント２３１の脱落の可能性は高くなる。また、これら３つの条件のうち成立している条件の数が多いほど、エレメント２３１の脱落の可能性は高くなる。
【００４４】
これら３つの条件のうち少なくとも１つの条件が満たされる車両の運転状態は、エレメント２３１の脱落の可能性が生じる運転状態であり、これら３つの条件すべてが満たされない場合よりも、エレメント２３１の脱落の可能性が高い運転状態とされる。
【００４５】
図２は、エンドプレーＥＰが集中した状態を示し、図５は、理解を容易にするため、エンドプレーＥＰが集中した金属ベルト２３の部分を、拡大視により模式的に示している。図２において、エンドプレーＥＰは、金属ベルト２３のうち点線で示す範囲ＡおよびＢで集中している。
【００４６】
本実施形態では、エレメント２３１、具体的には、エレメント２３１の受容部２３１ｒの開口する方向が、金属ベルト２３の径方向Ｒに関して外向きであるため、金属ベルト２３のうち、エレメント２３１の受容部２３１ｒが鉛直方向に関して下側に向く部分、換言すれば、プライマリプーリ２１の回転中心軸Ｃｐと、セカンダリプーリ２２の回転中心軸Ｃｓと、を結ぶ直線Ｘよりも下側にある部分では、仮にエンドプレーＥＰが発生したとしてもエレメント２３１の脱落は抑制される。これに対し、受容部２３１ｒが上側に向く部分では、脱落の可能性がある。
【００４７】
さらに、金属ベルト２３の上側部分のうち、金属ベルト２３に対してプーリ２１、２２から加わる力により図２に示す範囲ＡおよびＢでエンドプレーＥＰが発生する傾向がある。その際、範囲Ａ、Ｂは、プーリ２１、２２が回転する方向に応じて、エレメント２３１がプーリ２１、２２のシーブ間に挟まる方向に進む場合、換言すれば、金属ベルト２３がプーリ２１、２２のシーブ間の空間に進入する方向に進む場合と、金属ベルト２３がプーリ２１、２２のシーブ間の空間から脱出する方向に進む場合と、で区別される。進入方向に進む場合（図２に示す例では、範囲Ｂ）は、エンドプレーＥＰが生じてもエレメント２３１がプーリ２１、２２に挟まれることになるため、脱落は抑制される。他方で、脱出方向に進む場合（範囲Ａ）は、プーリ２１、２２による支えがなくなるため、エンドプレーＥＰが生じるとエレメント２３１が脱落する可能性があり、対策の必要がある。
【００４８】
例えば急ブレーキ時には、セカンダリプーリ２２からプライマリプーリ２１に回転方向とは逆向きの動力が伝達される。このとき範囲Ａでは、回転方向とは逆向きの動力によって金属ベルト２３の伸びが発生するので、エンドプレーＥＰが集中する。また、範囲Ｂでは、プッシュ方式でプライマリプーリ２１からセカンダリプーリ２２への動力伝達を行っていた金属ベルト２３の圧縮が解放されるので、エンドプレーＥＰが集中する。
【００４９】
エンドプレーＥＰの集中により、隣り合うエレメント２３１の間に単に隙間ができるだけでなく、凸部ｐが凹部から出て、それらの係合が解除され、エレメント２３１がリング２３２に対して横方向Ｌに移動可能な状態にあることが分かる。
【００５０】
このような事情に鑑み、本実施形態では、無段変速機２は次に説明する油供給装置ＯＳＤをさらに備える。
【００５１】
図６は、油供給装置ＯＳＤを示す図である。図６では、油供給装置ＯＳＤをエレメント２３１とともに示す。油供給装置ＯＳＤは、複数のエレメント２３１のエンドプレー集中箇所に油を吹く油供給装置であり、複数（ここでは３つ）のオイルインジェクタＩＮＪ１〜ＩＮＪ３と、バルブＶとを有する。複数のオイルインジェクタＩＮＪ１〜ＩＮＪ３は、油圧制御回路７に油路Ｈを介して接続され、金属ベルト２３に向けて無段変速機２の潤滑油を噴射するように配置される。
【００５２】
オイルインジェクタＩＮＪ１、ＩＮＪ２は、エレメント２３１に対し、その位置ずれが生じる方向とは逆方向に潤滑油を吹き付ける位置に設けられる。エレメント２３１に対してオイルインジェクタＩＮＪ１、ＩＮＪ２により側方から吹き付けられる潤滑油の圧力により、エレメント２３１の位置ずれ自体が抑制される。従って、エレメント２３１の横方向Ｌへの移動が抑制される。オイルインジェクタＩＮＪ３は、受容部２３１ｒが開口する方向とは逆方向の部分のエレメント２３１に対し潤滑油を吹き付ける位置に設けられる。
【００５３】
バルブＶは流量調節弁であり、変速機コントローラ２０１の制御のもと複数のオイルインジェクタＩＮＪ１〜ＩＮＪ３に供給される油の流量を調節する。バルブＶは、複数のオイルインジェクタＩＮＪ１〜ＩＮＪ３と油圧制御回路７を接続する油路Ｈに設けられる。バルブＶは、複数のオイルインジェクタＩＮＪ１〜ＩＮＪ３に共通のバルブとして設けられている。
【００５４】
油供給装置ＯＳＤは例えば、複数のオイルインジェクタＩＮＪ１〜ＩＮＪ３のうちオイルインジェクタＩＮＪ１、ＩＮＪ２のみ、或いはオイルインジェクタＩＮＪ３のみを有した構成とされてもよい。バルブＶは例えば、複数のオイルインジェクタＩＮＪ１〜ＩＮＪ３それぞれに対して個別に設けられてもよく、また、オイルインジェクタＩＮＪ１、ＩＮＪ２に対して共通に設けられる一方、オイルインジェクタＩＮＪ３に対して個別に設けられてもよい。
【００５５】
複数のオイルインジェクタＩＮＪ１〜ＩＮＪ３は、エンドプレー集中箇所に油を吹くように設けられる。図２には、このように設けられた複数のオイルインジェクタＩＮＪ１〜ＩＮＪ３が示されている。図２において、オイルインジェクタＩＮＪ２は、オイルインジェクタＩＮＪ１の背後に設けられている。
【００５６】
本実施形態では、図２に示す範囲Ｂのエンドプレー集中箇所においては、金属ベルト２３がプライマリプーリ２１に掛かり始め、エレメント２３１の受容部２３１ｒの開口方向も脱落しない向きに変わり始めることから、エレメント２３１の脱落は生じない。
【００５７】
このため本実施形態では、複数のオイルインジェクタＩＮＪ１〜ＩＮＪ３は、範囲Ａのエンドプレー集中箇所に対して設けられる。範囲Ａのエンドプレー集中箇所は、プライマリプーリ２１と金属ベルト２３との接触領域のうち回転方向最上流位置に形成されるエンドプレー集中箇所であり、広がりを有する。
【００５８】
オイルインジェクタＩＮＪ１、ＩＮＪ２は、セカンダリプーリ２２の回転方向において、金属ベルト２３がセカンダリプーリ２２から離れ始める位置の直後に設けられる。オイルインジェクタＩＮＪ１、ＩＮＪ２は例えば、一又は複数の噴射口が側部に設けられた終端閉塞パイプにより構成することができる。
【００５９】
オイルインジェクタＩＮＪ３は、プライマリプーリ２１、セカンダリプーリ２２及び金属ベルト２３間に形成される下方の隙間空間に設けられている。オイルインジェクタＩＮＪ３は例えば、一又は複数の噴射口が側部に設けられた終端閉塞パイプにより構成することができる。オイルインジェクタＩＮＪ３により下方から吹き付けられる潤滑油の圧力により、エレメント２３１が支持され、エレメント２３１の脱落が抑制される。
【００６０】
油供給装置ＯＳＤは、変速機コントローラ２０１により次のように制御される。
【００６１】
図７は、変速機コントローラ２０１が行う制御の一例をフローチャートで示す図である。変速機コントローラ２０１は、本フローチャートの処理を実行するように構成されることで、制御部を有した構成とされる。
【００６２】
ステップＳ１で、変速機コントローラ２０１は、車両の運転状態を検知する。ステップＳ１では、図１を用いて前述した各種の入力信号、入力情報に基づき、車両の運転状態が検知される。
【００６３】
ステップＳ２で、変速機コントローラ２０１は、車両の運転状態が所定の運転状態か否かを判定する。所定の運転状態は、エレメント２３１の脱落の可能性が高い運転状態であり、エレメント２３１の脱落についての前述した３つの条件のうち少なくとも１つの条件が満たされる車両の運転状態とされる。また、前述した３つの条件のうちエンドプレーＥＰが集中すること、という条件は例えば、前述したように急ブレーキ時に成立する。
【００６４】
このため、ステップＳ２の判定は例えば、車速センサ２４１とブレーキセンサ２５１とからの信号に基づき行うことができる。急ブレーキ時には、通常の減速時よりも無段変速機２に大きな制動トルクがかかることにより、圧迫によるエレメント２３１の潰れやリング２３２の伸びが助長される結果、エンドプレーＥＰの総量が増大すること、という条件も成立する。
【００６５】
ステップＳ２で肯定判定であれば、車両の運転状態が所定の運転状態であることが検知され、処理はステップＳ３に進む。所定の運転状態は、所定の運転状態を指標するパラメータを検知するセンサにより直接検知される代わりに、所定の運転状態を指標するパラメータと相関関係を有するパラメータ等に基づき推定されることにより、検知されてもよい。ステップＳ２で否定判定であれば、処理はステップＳ４に進む。
【００６６】
まず、ステップＳ４について説明すると、変速機コントローラ２０１は、噴射される油量が第２の油量Ｍ２になるように油供給装置ＯＳＤを制御する。ステップＳ４では、バルブＶを制御することにより、噴射される油量が第２の油量Ｍ２に設定される。
【００６７】
ステップＳ３で、変速機コントローラ２０１は、噴射される油量が第１の油量Ｍ１になるように油供給装置ＯＳＤを制御する。ステップＳ３では、バルブＶを制御することにより、噴射される油量が第１の油量Ｍ１に設定される。
【００６８】
第１の油量Ｍ１は、第２の油量Ｍ２よりも大きく設定されている。このため、ステップＳ２では、所定の運転状態を検知したときは、油供給装置ＯＳＤを制御することにより、所定の運転状態を検知していないときよりもエンドプレー集中箇所に吹く油量を多くする油供給制御が実行される。第１の油量Ｍ１、第２の油量Ｍ２は、実験等に基づき予め設定される。第１の油量Ｍ１は、エレメント２３１の脱落を抑制可能な範囲内で予め設定することができる。第２の油量Ｍ２は、ゼロとされてもよい。ステップＳ３、ステップＳ４の後には、本フローチャートの処理は一旦終了する。
【００６９】
次に、本実施形態の主な作用効果について説明する。
【００７０】
無段変速機２は、車両に搭載される。無段変速機２は、プライマリプーリ２１およびセカンダリプーリ２２と、プライマリプーリ２１およびセカンダリプーリ２２に掛け渡された金属ベルト２３であって、リング２３２とリング２３２により結束された複数のエレメント２３１であって金属ベルト２３の径方向Ｒに開口する受容部２３１ｒを夫々有し受容部２３１ｒにリング２３２を受ける複数のエレメント２３１と、を有する金属ベルト２３と、変速機コントローラ２０１と、を含んで構成される。無段変速機２は、複数のエレメント２３１のエンドプレー集中箇所に油を吹く油供給装置ＯＳＤをさらに備える。変速機コントローラ２０１は、車両の運転状態であって複数のエレメント２３１が有するエレメント２３１、つまり複数のエレメント２３１を構成するエレメント２３１の脱落の可能性が高い運転状態である所定の運転状態を検知したときは、油供給装置ＯＳＤを制御することにより、所定の運転状態を検知していないときよりもエンドプレー集中箇所に吹く油量を多くする油供給制御を実行するように構成される。
【００７１】
このような構成によれば、エレメント２３１の脱落の可能性が高い運転状態であっても、エンドプレー集中箇所に吹く油量を多くすることにより、予防的な態様で脱落に抗してエレメント２３１を支持したり、エレメント２３１の横方向Ｌへの位置ずれを抑制したりすることができる。このためこのような構成によれば、エレメント２３１の脱落を抑制できる（請求項１、５に対応する効果）。
【００７２】
本実施形態では、変速機コントローラ２０１は所定の運転状態として複数のエレメント２３１のエンドプレーＥＰが集中する運転状態を検知したときに油供給制御を実行する。
【００７３】
このような構成によれば、エンドプレーＥＰが集中すること、という条件の成立により、エレメント２３１が脱落する可能性が高まっても、エンドプレー集中箇所に油を多く吹くことにより、エレメント２３１の脱落を抑制できる。また、このような構成によれば、前述した３つの条件すべてが成立する前にエレメント２３１の脱落に予防的に対処するので、対処が遅れる結果、脱落を発生させてしまうことがない。さらにこのような構成によれば、エンドプレー集中箇所に吹く油により、エレメント２３１が横方向Ｌに移動すること、という条件の成立を妨げることも可能になるので、脱落を未然に防ぎやすくなる（請求項２に対応する効果）。
【００７４】
次に、変形例について説明する。
【００７５】
ここで、エレメント２３１の脱落を生じさせる可能性があるエンドプレーＥＰが発生する領域であるエンドプレー発生領域は、次のように定めることができる。
【００７６】
すなわち、エンドプレー発生領域は、金属ベルト２３に加わる力のつり合いに関する運動方程式を解き、対象とするエレメント２３１（具体的には、図２に示す範囲Ａにあるエレメント）に対し、上記エンドプレーＥＰを生じさせるほどの力が隣り合うエレメント２３１同士の間を開く方向に加わるか否かを計算することで定めることができる。このように、エンドプレー発生領域は、プーリ２１、２２の半径のほか、金属ベルト２３の弾性係数等、動力伝達系の仕様によっても変化するため、これらのパラメータに応じて適宜設定されるのが好ましい。
【００７７】
このようなエンドプレー発生領域は、車両の運転状態（具体的には、アクセル開度および車速）に応じて予め設定することができる。このため、変速機コントローラ２０１は、アクセル開度ＡＰＯ及び車速ＶＳＰに基づき、所定の運転状態にあることを検知する構成とされてもよい。この場合、アクセル開度および車速が計測されている場合（つまり、アクセル開度および車速がいずれも０でない場合）に、エンドプレー発生領域にあるか否かを判定することができる。
【００７８】
このような構成の変速機コントローラ２０１はさらに、車両が勾配路にあるときに、所定の運転状態にあることを検知する構成とすることができる。つまり、エンドプレー発生領域は例えば、車両が勾配路にあるときに対して設定することができる。勾配路にあるか否かの判定は、前後方向加速度をもとに行うことができる。
【００７９】
この場合、変速機コントローラ２０１はさらに、無段変速機２のシフトレンジとして、走行レンジ（ドライブまたはリバース等の走行可能レンジであり、パーキングまたはニュートラル等の停止レンジでないレンジ）が選択されている場合に、所定の運転状態にあることを検知する構成とすることができる。つまり、エンドプレー発生領域は、さらに走行レンジが選択されている場合に対して設定することができる。
【００８０】
これらの構成の場合も、エレメント２３１が脱落する可能性が高まっても、エンドプレー集中箇所に油を多く吹くことにより、エレメント２３１の脱落を抑制できる（請求項３、４に対応する効果）。
【００８１】
前述したように、エレメント２３１に横方向Ｌの力が加わることにより、エレメント２３１が横方向Ｌに移動するという条件が成立すると、エレメント２３１の脱落の可能性が高まることになる。
【００８２】
このため、所定の運転状態は例えば、エレメント２３１に横方向Ｌの力が加わる運転状態とされてもよい。このような運転状態は、車両の横方向加速度ＡＣＣｌが予め設定した所定値ＡＣＣｔｈｒ以上であるか否かを判定することにより検知できる。
【００８３】
先に述べたように、横方向加速度ＡＣＣｌは、無段変速機２の配置により、金属ベルト２３およびエレメント２３１に対して横方向Ｌに作用する加速度であり、エレメント２３１に対して横方向Ｌに作用する力の大きさを規定する。
【００８４】
横方向加速度ＡＣＣｌは、操舵角Ａｓｔｒから車両の旋回半径φｔｒｎを算出し、旋回半径φｔｒｎおよび車速ＶＳＰを、次式（１）に代入することにより計算できる。
【００８５】
ＶＳＰ／φｔｒｎ＝ＡＣＣｌ  …（１）
【００８６】
従って、エレメント２３１に横方向Ｌの力が加わる運転状態であることは例えば、車速センサ２４１、操舵角センサ２４７からの信号に基づき検知することができる。
【００８７】
このような構成によれば、エレメント２３１が横方向Ｌに移動すること、という条件の成立によりエレメント２３１の脱落の可能性が高まっても、エンドプレー集中箇所に油を多く吹くことにより、エレメント２３１の脱落を抑制できる。また、このような構成によれば、予防的に対処を行うので、対処の遅れに起因して脱落を発生させてしまうことがない。さらにこのような構成によれば、エレメント２３１の横方向Ｌへの位置ずれを素早く抑制することが可能になる。このため、前述の３つの条件のうち残りの条件が成立する前にエレメント２３１の位置ずれを抑制することにより、脱落を未然に防ぎやすくなる。またこの場合は、現にエレメント２３１に横方向Ｌの力が加わる運転状態であるときに対処を行うので、不要な対処の実行を回避することが可能となる（請求項４に対応する効果）。
【００８８】
横方向加速度ＡＣＣｌを算出するにあたっては、旋回半径φｔｒｎの代わりに道路の曲率半径が用いられてもよい。道路の曲率半径は、道路地図情報に付随するナビゲーション情報として、カーナビゲーション装置２５０から取得することができる。この場合、エレメント２３１に対して横方向Ｌの力が作用することが予測可能になるので、予防的に対処を行うことにより、エレメント２３１が横方向Ｌに移動すること、という条件の成立を妨げることも可能になる。
【００８９】
エレメント２３１に横方向Ｌの力が加わる運転状態であることは、加速度センサ２４６からの信号に基づき検知されてもよい。この場合、横方向加速度ＡＣＣｌをより直接的に検出することにより、演算負荷の軽減が図られる。
【００９０】
エレメント２３１に横方向Ｌの力が加わる運転状態であることは、横揺れが大きく、エレメント２３１に対して横方向Ｌの位置ずれを生じさせる力の作用がある場合を含む。このため、このような運転状態であることは、車体の横揺れの有無およびその大きさを判定することにより検知されてもよい。
【００９１】
車体の横揺れの有無およびその大きさは、横揺れ表示値Ｉｒｌｌに基づき検知することができる。横揺れ表示値Ｉｒｌｌは、車体に生じている横方向Ｌの揺れの大きさを示す指標であり、これが大きいほど、横揺れが大きいことを示す。
【００９２】
従って、エレメント２３１に横方向Ｌの力が加わる運転状態であることは、横揺れ表示値Ｉｒｌｌが予め設定した所定値Ｉｔｈｒ以上であるか否かを判定することにより、検知することができる。
【００９３】
本実施形態では、右側のサスペンションストローク量ＳＴＲｒの単位時間当たりの変化量（以下「サスペンションストローク変化量」という）ΔＳＴＲｒと、左側のサスペンションストローク変化量ΔＳＴＲｌと、の差（＝ΔＳＴＲｒ−ΔＳＴＲｌ）を算出し、このストローク変化量偏差Ｄｓｔｒを横揺れ表示値Ｉｒｌｌとして用いる。
【００９４】
ストローク変化量偏差Ｄｓｔｒは、右前輪および左前輪のサスペンションストローク量の差、及び右後輪および左後輪のサスペンションストローク量の差の少なくともいずれかとすることができる。これらの双方をストローク変化量偏差Ｄｓｔｒ、従って横揺れ表示値Ｉｒｌｌとして用いる場合、これらのいずれかが所定値Ｉｔｈｒ以上の場合をエレメント２３１に横方向Ｌの力が加わる運転状態とすることができる。
【００９５】
以上のことから、車体の横揺れの有無およびその大きさに着目した場合、エレメント２３１に横方向Ｌの力が加わる運転状態であることは、サスペンションストロークセンサ２４８からの信号に基づき検知することができる。
【００９６】
この場合、現在走行中の道路または路面の状態に起因した力の作用の有無を判定し、例えば、路面の凹凸により力の作用がある場合に、エレメント２３１のリング２３２からの脱落を抑制することが可能となる。また、横揺れの大きさを示す横揺れ表示値Ｉｒｌｌの算出に、サスペンションストローク量ＳＴＲｒ、ＳＴＲｌを採用したことで、車体に生じている横揺れがより確実に検出される。
【００９７】
道路または路面の状態は、カメラセンサ２４９により撮影された画像または映像を解析することによっても判定することが可能である。これにより、横揺れを生じさせる道路または路面を実際に走行する前に、エレメント２３１に対する横方向Ｌの力の作用があることを予測し、予防的に対処することが可能になる。
【００９８】
さらに、道路または路面の状態は、カメラセンサ２４９によるばかりでなく、カーナビゲーション装置２５０から得られるナビゲーション情報によっても判断することが可能である。例えば、車両の進行方向に工事中の道路があったり、路面の凹凸または起伏が続く道路があったりする場合に、エレメント２３１に対する横方向Ｌの力の作用があることを予測するのである。
【００９９】
以上、本発明の実施形態について説明したが、上記実施形態は本発明の適用例の一部を示したに過ぎず、本発明の技術的範囲を上記実施形態の具体的構成に限定する趣旨ではない。
【０１００】
例えば、エレメント２３１がリング２３２に装着された状態で受容部２３１ｒが開口する方向は、金属ベルト２３の外周側（つまり、径方向外側）であってもよいし、内周側（径方向内側）であってもよい。受容部２３１ｒが金属ベルト２３の径方向内側に開口する場合は、潤滑油の吹付けによりエレメント２３１の脱落を抑制する場合に、オイルインジェクタＩＮＪ３により潤滑油を吹き付ける方向が図１０に示す方向とは逆である。
【０１０１】
上述した実施形態では、変速機コントローラ２０１により制御部が実現される場合について説明した。しかしながら、制御部は例えば、複数のコントーラにより実現されてもよい。
【０１０２】
以上の説明では、第１駆動源と、無段変速機２を介さずに駆動輪５、５に動力を伝達可能に配設された第２駆動源と、を設け、第１駆動源としてエンジン１を、第２駆動源として電動モータ８１、８２を採用した。しかし、第１駆動源は、内燃エンジンばかりでなく、電動モータ（例えば、モータジェネレータ）によっても、内燃エンジンと電動モータとの組合せによっても構成可能である。
【符号の説明】
【０１０３】
１        エンジン
２        無段変速機
２１      プライマリプーリ
２２      セカンダリプーリ
２３      金属ベルト（ベルト）
２３１    エレメント
２３１ｒ  受容部
２３２    リング
２０１    変速機コントローラ（コントローラ）
ＯＳＤ    油供給装置
【図１】
2020169671.tif 000003
【図２】
2020169671.tif 000004
【図３】
2020169671.tif 000005
【図４】
2020169671.tif 000006
【図５】
2020169671.tif 000007
【図６】
2020169671.tif 000008
【図７】
2020169671.tif 000009